【手続補正書】
【提出日】平成17年4月28日(2005.4.28)
【手続補正１】
【補正対象書類名】明細書
【補正対象項目名】発明の名称
【補正方法】変更
【補正の内容】
【発明の名称】カメラ、画像処理装置及びプリンタ並び撮影システム
【手続補正２】
【補正対象書類名】明細書
【補正対象項目名】特許請求の範囲
【補正方法】変更
【補正の内容】
【特許請求の範囲】
【請求項１】
撮影シーンを１コマに撮影する通常撮影モードと、撮影シーンを複数コマに分割して撮影する高精細撮影モードとを備え、
高精細撮影モードでは、前記複数コマの関連を示す撮影制御情報を記録することを特徴とするカメラ。
【請求項２】
高精細撮影モードとして、撮影シーン中の撮影範囲を分割し、各分割範囲毎に撮影媒体の全面を用いて撮影を行い、各撮影コマに対して分割撮影位置を前記撮影制御情報として記録する多分割撮影モードを備えることを特徴とする請求項１記載のカメラ。
【請求項３】
主要被写体を指定する指定手段又は主要被写体を判別する判別手段を有し、高精細撮影モードとして、指定又は判別された主要被写体を複数段階にズーミングして複数回の撮影を行い、各撮影コマに対してズーミング倍率を前記撮影制御情報として記録する多段階ズーミング撮影モードを備えることを特徴とする請求項１又は２記載のカメラ。
【請求項４】
高精細撮影モードとして、焦点距離を変更しながら撮影シーンを複数回撮影し、各撮影コマに対して焦点距離変更撮影コマ識別情報を前記撮影制御情報として記録する多段階焦点距離撮影モードを備えることを特徴とする請求項１ないし３いずれか１つ記載のカメラ。
【請求項５】
高精細撮影モードとして、露出値を変更しながら撮影シーンを複数回撮影し、各撮影コマに対して露出値変更撮影コマ識別情報を撮影制御情報として記録する多段階露出撮影モードを備えることを特徴とする請求項１ないし４いずれか１つ記載のカメラ。
【請求項６】
請求項１ないし５いずれか１つ記載のカメラの高精細撮影モードで撮影した複数コマの画像データを、前記撮影制御情報に基づき、画像合成する画像合成部を備えたことを特徴とするプリンタ。
【請求項７】
請求項１ないし５いずれか１つ記載のカメラの高精細撮影モードで撮影した複数コマの画像データを、前記撮影制御情報に基づき、画像合成する画像合成部と、この画像合成部で作成された合成画像をプリントするプリント部とを備えたことを特徴とするプリンタ。
【請求項８】
カメラとディスプレイとを含む撮影システムにおいて、
前記カメラは、撮影シーンを１コマに撮影する通常撮影モードと、撮影シーンを複数コマに分割して撮影する高精細撮影モードとを備え、
高精細撮影モードでは、前記複数コマの関連を示す撮影制御情報を記録することを特徴とする撮影システム。
【請求項９】
高精細撮影モードとして、撮影シーン中の撮影範囲を分割し、各分割範囲毎に撮影媒体の全面を用いて撮影を行い、各撮影コマに対して分割撮影位置を前記撮影制御情報として記録する多分割撮影モードを備えることを特徴とする請求項８記載の撮影システム。
【請求項１０】
主要被写体を指定する指定手段又は主要被写体を判別する判別手段を有し、高精細撮影モードとして、指定又は判別された主要被写体を複数段階にズーミングして複数回の撮影を行い、各撮影コマに対してズーミング倍率を前記撮影制御情報として記録する多段階ズーミング撮影モードを備えることを特徴とする請求項８又は９記載の撮影システム。
【請求項１１】
高精細撮影モードとして、焦点距離を変更しながら撮影シーンを複数回撮影し、各撮影コマに対して焦点距離変更撮影コマ識別情報を前記撮影制御情報として記録する多段階焦点距離撮影モードを備えることを特徴とする請求項８ないし１０いずれか１つ記載の撮影システム。
【請求項１２】
高精細撮影モードとして、露出値を変更しながら撮影シーンを複数回撮影し、各撮影コマに対して露出値変更撮影コマ識別情報を撮影制御情報として記録する多段階露出撮影モードを備えることを特徴とする請求項８ないし１１いずれか１つ記載の撮影システム。
【請求項１３】
請求項８ないし１２いずれか１つ記載の撮影システムにおいて、前記高精細撮影モードで撮影した複数コマの画像データを、前記撮影制御情報に基づき画像合成する画像合成部を備え、画像合成した高精細画像を前記ディスプレイに表示することを特徴とする撮影システム。
【請求項１４】
カメラとディスプレイを含む撮影システムにおいて、
前記カメラは、
通常撮影モードと高精細撮影モードのいずれかを選択するモード選択手段と、
前記通常撮影モードでは、１回のシャッタレリーズ操作で１コマに１シーンを撮影し、前記高精細撮影モードでは、１シーンを一連の複数コマに分割して撮影する撮影手段と、
前記高精細撮影モードで前記複数コマの関連を示す撮影制御情報を記録媒体に記録する撮影制御情報記録手段とを備えることを特徴とする撮影システム。
【請求項１５】
請求項１４記載の撮影システムにおいて、
前記ディスプレイは、
前記記録媒体から前記撮影制御情報を読み取る情報読取手段と、
前記撮影制御情報に応じて高精細画像を合成するための画像合成部とを備え、前記高精細画像を表示することを特徴とする撮影システム。
【請求項１６】
請求項１５記載の撮影システムにおいて、
前記高精細撮影モードでは、１シーンを複数の分割部に分割し、各分割部を１コマとして撮影媒体の全面を用いて撮影して１シーンを一連の複数コマとし、
前記撮影制御情報記録手段は、１シーンの前記分割部を撮影したコマに対して分割位置データを記録することを特徴とする撮影システム。
【請求項１７】
請求項１５または１６記載の撮影システムにおいて、
高精細撮影モードでは、１シーンの主要被写体を複数段階にズーミングして複数回の撮影を行い、前記撮影制御情報記録手段は、各撮影コマに対してズーミング倍率を前記撮影制御情報として記録することを特徴とする撮影システム。
【請求項１８】
請求項１７記載の撮影システムにおいて、
前記主要被写体を指定する指定手段又は主要被写体を判別する判別手段を有することを特徴とする撮影システム。
【請求項１９】
請求項１５ないし１８いずれか1項記載の撮影システムにおいて、
前記高精細撮影モードでは、焦点距離を変更しながら１シーンを複数回撮影し、前記撮影制御情報記録手段は、各撮影コマに対して焦点距離変更撮影コマ識別情報を前記撮影制御情報として記録することを特徴とする撮影システム。
【請求項２０】
請求項１５ないし１９いずれか1項記載の撮影システムにおいて、
高精細撮影モードでは、露出値を変更しながら１シーンを複数回撮影し、前記撮影制御情報記録手段は、各撮影コマに対して露出値変更撮影コマ識別情報を撮影制御情報として記録することを特徴とする撮影システム。
【手続補正３】
【補正対象書類名】明細書
【補正対象項目名】０００１
【補正方法】変更
【補正の内容】
【０００１】
【発明の属する技術分野】
本発明は、カメラ、画像処理装置及びプリンタ並び撮影システムに関し、特にカメラを大型化することなく高精細なプリントが得られるようにしたカメラ、画像処理装置及びプリンタ並び撮影システムに関するものである。
【手続補正４】
【補正対象書類名】明細書
【補正対象項目名】０００４
【補正方法】変更
【補正の内容】
【０００４】
本発明は上記課題を解決するためのものであり、カメラを大型化することなく、高精細なプリントが得られるようにしたカメラ、画像処理装置及びプリンタ並び撮影システムを提供することを目的とする。
【手続補正５】
【補正対象書類名】明細書
【補正対象項目名】０００５
【補正方法】変更
【補正の内容】
【０００５】
【課題を解決するための手段】
上記目的を達成するために、請求項１記載のカメラは、撮影シーンを１コマに撮影する通常撮影モードと、撮影シーンを複数コマに分割して撮影する高精細撮影モードとを備え、高精細撮影モードでは、前記複数コマの関連を示す撮影制御情報を記録するようにしたものである。また、請求項２記載のカメラは、高精細撮影モードとして多分割撮影モードを備え、この多分割撮影モードでは、撮影シーン中の撮影範囲を分割し、各分割範囲毎に撮影媒体の全面を用いて撮影を行い、各撮影コマに対して分割撮影位置を前記撮影制御情報として記録するようにしたものである。また、請求項３記載のカメラは、主要被写体を指定する指定手段又は主要被写体を判別する判別手段を有し、高精細撮影モードとして多段階ズーミング撮影モードを備え、この多段階ズーミング撮影モードでは、指定又は判別された主要被写体を複数段階にズーミングして複数回の撮影を行い、各撮影コマに対してズーミング倍率を前記撮影制御情報として記録するようにしたものである。
【手続補正６】
【補正対象書類名】明細書
【補正対象項目名】０００６
【補正方法】変更
【補正の内容】
【０００６】
また、請求項４記載のカメラは、高精細撮影モードとして多段階焦点距離撮影モードを備え、この多段階焦点距離撮影モードでは、焦点距離を変更しながら撮影シーンを複数回撮影し、各撮影コマに対して焦点距離変更撮影コマ識別情報を前記撮影制御情報として記録するようにしたものである。また、請求項５記載のカメラは、高精細撮影モードとして多段階露出撮影モードを備え、この他段階露出撮影モードでは、露出値を変更しながら撮影シーンを複数回撮影し、各撮影コマに対して露出値変更撮影コマ識別情報を撮影制御情報として記録するようにしたものである。また、請求項６記載のプリンタは、請求項１ないし５いずれか１つ記載のカメラの高精細撮影モードで撮影した複数コマの画像データを、前記撮影制御情報に基づき画像合成する画像合成部を備えたことを特徴とする。また、請求項７記載のプリンタは、上記高精細撮影モードで撮影した複数コマの画像データを、前記撮影制御情報に基づき画像合成する画像合成部と、この画像合成部で作成された合成画像をプリントするプリント部とを備えたことを特徴とする。
【手続補正７】
【補正対象書類名】明細書
【補正対象項目名】０００７
【補正方法】変更
【補正の内容】
【０００７】
請求項８記載の撮影システムは、カメラとディスプレイとを含む撮影システムにおいて、前記カメラは、撮影シーンを１コマに撮影する通常撮影モードと、撮影シーンを複数コマに分割して撮影する高精細撮影モードとを備え、高精細撮影モードでは、前記複数コマの関連を示す撮影制御情報を記録することを特徴とする。また、請求項９記載の撮影システムは、高精細撮影モードとして、撮影シーン中の撮影範囲を分割し、各分割範囲毎に撮影媒体の全面を用いて撮影を行い、各撮影コマに対して分割撮影位置を前記撮影制御情報として記録する多分割撮影モードを備えることを特徴とする。また、請求項１０記載の撮影システムは、主要被写体を指定する指定手段又は主要被写体を判別する判別手段を有し、高精細撮影モードとして、指定又は判別された主要被写体を複数段階にズーミングして複数回の撮影を行い、各撮影コマに対してズーミング倍率を前記撮影制御情報として記録する多段階ズーミング撮影モードを備えることを特徴とする。
【手続補正８】
【補正対象書類名】明細書
【補正対象項目名】０００８
【補正方法】変更
【補正の内容】
【０００８】
請求項１１記載の撮影システムは、高精細撮影モードとして、焦点距離を変更しながら撮影シーンを複数回撮影し、各撮影コマに対して焦点距離変更撮影コマ識別情報を前記撮影制御情報として記録する多段階焦点距離撮影モードを備えることを特徴とする。また、請求項１２記載の撮影システムは、高精細撮影モードとして、露出値を変更しながら撮影シーンを複数回撮影し、各撮影コマに対して露出値変更撮影コマ識別情報を撮影制御情報として記録する多段階露出撮影モードを備えることを特徴とする。請求項１３記載の撮影システムは、請求項８ないし１２いずれか１つ記載の撮影システムにおいて、前記高精細撮影モードで撮影した複数コマの画像データを、前記撮影制御情報に基づき画像合成する画像合成部を備え、画像合成した高精細画像を前記ディスプレイに表示することを特徴とする。
【手続補正９】
【補正対象書類名】明細書
【補正対象項目名】０００９
【補正方法】変更
【補正の内容】
【０００９】
請求項１４記載の撮影システムは、カメラとディスプレイを含む撮影システムにおいて、前記カメラは、通常撮影モードと高精細撮影モードのいずれかを選択するモード選択手段と、前記通常撮影モードでは、１回のシャッタレリーズ操作で１コマに１シーンを撮影し、前記高精細撮影モードでは、１シーンを一連の複数コマに分割して撮影する撮影手段と、 前記高精細撮影モードで前記複数コマの関連を示す撮影制御情報を記録媒体に記録する撮影制御情報記録手段とを備えることを特徴とする。請求項１５記載の撮影システムは、請求項１４記載の撮影システムにおいて、前記ディスプレイは、前記記録媒体から前記撮影制御情報を読み取る情報読取手段と、前記撮影制御情報に応じて高精細画像を合成するための画像合成部とを備え、前記高精細画像を表示することを特徴とする。また、請求項１６記載の撮影システムは、請求項１５記載の撮影システムにおいて、前記高精細撮影モードでは、１シーンを複数の分割部に分割し、各分割部を１コマとして撮影媒体の全面を用いて撮影して１シーンを一連の複数コマとし、前記撮影制御情報記録手段は、１シーンの前記分割部を撮影したコマに対して分割位置データを記録することを特徴とする。また、請求項１７記載の発明は、請求項１５または１６記載の撮影システムにおいて、高精細撮影モードでは、１シーンの主要被写体を複数段階にズーミングして複数回の撮影を行い、前記撮影制御情報記録手段は、各撮影コマに対してズーミング倍率を前記撮影制御情報として記録することを特徴とする。
【手続補正１０】
【補正対象書類名】明細書
【補正対象項目名】００１０
【補正方法】変更
【補正の内容】
【００１０】
請求項１８記載の撮影システムは、請求項１７記載の撮影システムにおいて、前記主要被写体を指定する指定手段又は主要被写体を判別する判別手段を有することを特徴とする。また、請求項１９記載の撮影システムは、請求項１５ないし１８いずれか１項記載の撮影システムにおいて、前記高精細撮影モードでは、焦点距離を変更しながら１シーンを複数回撮影し、前記撮影制御情報記録手段は、各撮影コマに対して焦点距離変更撮影コマ識別情報を前記撮影制御情報として記録することを特徴とする。また、請求項２０記載の撮影システムは、請求項１５ないし１９いずれか1項記載の撮影システムにおいて、高精細撮影モードでは、露出値を変更しながら１シーンを複数回撮影し、前記撮影制御情報記録手段は、各撮影コマに対して露出値変更撮影コマ識別情報を撮影制御情報として記録することを特徴とする。